(57)【要約】【課題】自発分極を有する液晶分子を安定的に可動させ、その結果、装着したユーザに不快感を与えることのない画像視認用装着具の駆動方法を提供することにある。【解決手段】立体視用眼鏡２００は、チルト角の小さい側から液晶分子ＬＣに印加すべき駆動電圧を無印加に変化させ、駆動中の液晶分子ＬＣを無印加状態にする際に安定化状態となるまでの可動範囲を狭くし、迅速に当該液晶分子ＬＣを安定化状態にする構成を有している。【選択図】図１
2014235387.tif 000002
【特許請求の範囲】
【請求項１】
表示装置と連動して透過状態及び遮光状態の状態を制御することによって、当該表示装置に表示された左眼用画像又は右眼用画像の視認を制御する左眼用シャッター及び右眼用シャッターと、
前記左眼用シャッター及び前記右眼用シャッターを駆動する駆動回路と、
を備え、
前記左眼用シャッター及び前記右眼用シャッターが、
偏光軸Ａを有する偏光板Ａ、及び、当該偏光板Ａと非平行の偏光軸Ｂを有する偏光板Ｂの少なくともいずれか一方と、
前記偏光板Ａと前記偏光板Ｂとの間に形成される一対の配向膜と、
前記配向膜に挟持される層であって、自発分極を有し、かつ、前記駆動回路によって駆動電圧が印加されて可動する液晶分子を、封入する液晶層と、
を有する画像視認用装着具の駆動方法であって、
前記透過状態と前記遮光状態との状態を制御するために、前記駆動電圧を前記液晶分子に印加し、前記偏光軸Ａと前記偏光軸Ｂとの間に存在する基準軸と、前記偏光軸Ａと、の間で前記液晶分子を可動させる第１工程と、
前記駆動電圧の無印加時に、
（Ａ）中心軸より前記偏光軸Ａ側に傾けて前記液晶分子を安定させる場合に、前記駆動電圧を印加して安定化軸より前記偏光軸Ａ側に前記液晶分子を傾ける工程、又は、
（Ｂ）前記中心軸より前記基準軸側に傾けて、前記液晶分子を安定させる場合に、前記駆動電圧を印加して前記安定化軸より前記基準軸側に前記液晶分子を傾ける工程、
のいずれか一方の第２工程と、
前記第２工程によって前記液晶分子を傾けた後に前記駆動電圧を無印加に変更する第３工程と、
を含み、
前記中心軸が、前記偏光軸Ａと前記基準軸とによって形成される角度の２分の１となる角度に形成されており、
前記安定化軸が、前記液晶分子が前記駆動電圧の無印加時に安定する軸であることを特徴とする画像視認用装着具の駆動方法。
【請求項２】
前記安定化軸と前記偏光軸Ａとによって形成される第１角度が、前記安定化軸と前記基準軸とによって形成される第２角度より小さい、請求項１に記載の画像視認用装着具の駆動方法。
【請求項３】
前記左眼用シャッター及び前記右眼用シャッターに対して前記駆動電圧を無印加にするタイミングが異なる、請求項１又は２に記載の画像視認用装着具の駆動方法。
【請求項４】
前記中心軸より前記偏光軸Ａ側に前記液晶分子を傾けるための前記駆動電圧が、前記偏光軸Ａから前記基準軸に前記液晶分子を傾けるための前記駆動電圧の逆極性の電圧である、請求項１〜３のいずれか１項に記載の画像視認用装着具の駆動方法。
【請求項５】
前記液晶分子の傾きが前記偏光軸と平行となる場合に、前記左眼用シャッター又は前記右眼用シャッターに関する透過率が最小になり、前記液晶分子の傾きが前記基準軸と平行となる場合に、前記透過率が最大になる、請求項１〜４のいずれか１項に記載の画像視認用装着具の駆動方法。
【請求項６】
前記表示装置に表示される左眼用画像及び右眼用画像が時分割に交互に表示される場合に、
前記表示装置に連動し、前記左眼用シャッター及び前記右眼用シャッターのそれぞれの遮光状態及び透過状態が、前記左眼用シャッター及び前記右眼用シャッターで互いに異なりつつ、交互に切り替わる、請求項１〜５のいずれか１項に記載の画像視認用装着具の駆動方法。
【請求項７】
前記表示装置に表示される第１画像及び第２画像が時分割に交互に表示される場合に、
前記表示装置に連動し、前記第１画像が表示されたときに前記左眼用シャッター及び前記右眼用シャッターが透過状態に同時に切り替わるとともに、前記第２画像が表示されたときに前記左眼用シャッター及び前記右眼用シャッターが遮光状態に同時に切り替わる、請求項１〜５のいずれか１項に記載の画像視認用装着具の駆動方法。
【請求項８】
前記左眼用シャッター及び前記右眼用シャッターが、前記偏光板Ａ及び前記偏光板Ｂの双方を有し、
前記一対の配向膜が、前記偏光板Ａと前記偏光板Ｂとの間に挟持されている、請求項１〜７のいずれか１項に記載の画像視認用装着具の駆動方法。
【請求項９】
前記液晶分子が、強誘電性の性質を有する、請求項１〜８のいずれか１項に記載の画像視認用装着具の駆動方法。
【請求項１０】
表示装置と連動して透過状態及び遮光状態の状態を制御することによって、当該表示装置に表示された左眼用画像又は右眼用画像の視認を制御する左眼用シャッター及び右眼用シャッターと、
前記左眼用シャッター及び前記右眼用シャッターを駆動する駆動回路と、
を備え、
前記左眼用シャッター及び前記右眼用シャッターが、
偏光軸Ａを有する偏光板Ａ、及び、当該偏光板Ａと非平行の偏光軸Ｂを有する偏光板Ｂの少なくともいずれか一方と、
前記偏光板Ａと前記偏光板Ｂとの間に形成される一対の配向膜と、
前記配向膜に挟持される層であって、自発分極を有し、かつ、前記駆動回路によって駆動電圧が印加されて可動する液晶分子を、封入する液晶層と、
を有し、
前記駆動回路が、
前記透過状態と前記遮光状態との状態を制御するために、前記駆動電圧を前記液晶分子に印加し、前記偏光軸Ａと前記偏光軸Ｂとの間に存在する基準軸と、前記偏光軸Ａと、の間で前記液晶分子を可動させる第１処理と、
前記駆動電圧の無印加時に、
（Ａ）中心軸より前記偏光軸Ａ側に傾けて前記液晶分子を安定させる場合に、前記駆動電圧を印加して安定化軸より前記偏光軸Ａ側に前記液晶分子を傾ける処理、又は、
（Ｂ）前記中心軸より前記基準軸側に傾けて、前記液晶分子を安定させる場合に、前記駆動電圧を印加して前記安定化軸より前記基準軸側に前記液晶分子を傾ける処理、
のいずれか一方の第２処理と、
前記第２処理によって前記液晶分子を傾けた後に前記駆動電圧を無印加に変更する第３処理と、
を実行し、
前記中心軸が、前記偏光軸Ａと前記基準軸とによって形成される角度の２分の１となる角度に形成されており、
前記安定化軸が、前記液晶分子が前記駆動電圧の無印加時に安定する軸であることを特徴とする、画像視認用装着具。
【発明の詳細な説明】
【技術分野】
【０００１】
本発明は、画像視認用装着具及び画像視認用装着具の駆動方法に関する。
【背景技術】
【０００２】
近年、一つの画面に対して時分割で複数の動画像を表示させるとともに、当該動画像表示と同期したシャッター付メガネを用いることによって、複数の映像をそれぞれ分離して認識する技術が知られている。また、当該認識技術を利用し、視認者の左右の目に相当する視差画像を表示することによって立体表示を可能とする技術も登場している。
【０００３】
特に、この立体表示に用いるシャッター付きメガネ（以下、「立体視用眼鏡」ともいう。）は、液晶素子から構成される液晶シャッターを左右眼用にそれぞれ有し、表示装置の視差画像の表示タイミングと同期して左右の液晶シャッターの遮光状態と透過状態を交互に制御することができるようになっている。
【０００４】
一方、上記のような立体視用眼鏡の液晶シャッターに用いる液晶素子としては、軽量・薄型表示素子として広く利用されているＴＮ（Ｔｗｉｓｔｅｄ  Ｎｅｍａｔｉｃ）方式の他に、最近では、応答速度が極めて短く、高速デバイスに適した強誘電性液晶（ＦＬＣ）を利用する研究も進んでいる（例えば、特許文献１）。
【先行技術文献】
【特許文献】
【０００５】
【特許文献１】特開２０００−２８４２２４号公報
【発明の概要】
【発明が解決しようとする課題】
【０００６】
しかしながら、上記特許文献であっては、電源オフ時において強誘電液晶素子等の自発分極を有する液晶素子の安定化に関する技術については言及されていない。特に、上記特許文献であっては、駆動電圧の無印加時に、液晶素子の可動範囲の中心よりいずれかの方向に傾いている自発分極を有する液晶素子を用いた液晶シャッターについて、安定的に駆動するための技術については開示されていない。
【０００７】
本発明は、上記課題を解決するためになされたものであって、その目的は、自発分極を有する液晶分子を安定的に可動させ、その結果、装着したユーザに不快感を与えることのない画像視認用装着具、及び、その駆動方法を提供することにある。
【課題を解決するための手段】
【０００８】
上記課題を解決するため、本発明の一実施形態における画像視認用装着具の駆動方法は、表示装置と連動して透過状態及び遮光状態の状態を制御することによって、当該表示装置に表示された左眼用画像又は右眼用画像の視認を制御する左眼用シャッター及び右眼用シャッターと、前記左眼用シャッター及び前記右眼用シャッターを駆動する駆動回路と、を備え、前記左眼用シャッター及び前記右眼用シャッターが、偏光軸Ａを有する偏光板Ａ、及び、当該偏光板Ａと非平行の偏光軸Ｂを有する偏光板Ｂの少なくともいずれか一方と、前記偏光板Ａと前記偏光板Ｂとの間に形成される一対の配向膜と、前記配向膜に挟持される層であって、自発分極を有し、かつ、前記駆動回路によって駆動電圧が印加されて可動する液晶分子を、封入する液晶層と、を有する画像視認用装着具の駆動方法であって、前記透過状態と前記遮光状態との状態を制御するために、前記駆動電圧を前記液晶分子に印加し、前記偏光軸Ａと前記偏光軸Ｂとの間に存在する基準軸と、前記偏光軸Ａと、の間で前記液晶分子を可動させる第１工程と、前記駆動電圧の無印加時に、（Ａ）中心軸より前記偏光軸Ａ側に傾けて前記液晶分子を安定させる場合に、前記駆動電圧を印加して安定化軸より前記偏光軸Ａ側に前記液晶分子を傾ける工程、又は、（Ｂ）前記中心軸より前記基準軸側に傾けて、前記液晶分子を安定させる場合に、前記駆動電圧を印加して前記安定化軸より前記基準軸側に前記液晶分子を傾ける工程、のいずれか一方の第２工程と、前記第２工程によって前記液晶分子を傾けた後に前記駆動電圧を無印加に変更する第３工程と、を含み、前記中心軸が、前記偏光軸Ａと前記基準軸とによって形成される角度の２分の１となる角度に形成されており、前記安定化軸が、前記液晶分子が前記駆動電圧の無印加時に安定する軸である構成を有している。
【０００９】
上記課題を解決するため、本発明の一実施形態における画像視認用装着具は、表示装置と連動して透過状態及び遮光状態の状態を制御することによって、当該表示装置に表示された左眼用画像又は右眼用画像の視認を制御する左眼用シャッター及び右眼用シャッターと、前記左眼用シャッター及び前記右眼用シャッターを駆動する駆動回路と、を備え、前記左眼用シャッター及び前記右眼用シャッターが、偏光軸Ａを有する偏光板Ａ、及び、当該偏光板Ａと非平行の偏光軸Ｂを有する偏光板Ｂの少なくともいずれか一方と、前記偏光板Ａと前記偏光板Ｂとの間に形成される一対の配向膜と、前記配向膜に挟持される層であって、自発分極を有し、かつ、前記駆動回路によって駆動電圧が印加されて可動する液晶分子を、封入する液晶層と、を有し、前記駆動回路が、前記透過状態と前記遮光状態との状態を制御するために、前記駆動電圧を前記液晶分子に印加し、前記偏光軸Ａと前記偏光軸Ｂとの間に存在する基準軸と、前記偏光軸Ａと、の間で前記液晶分子を可動させる第１処理と、前記駆動電圧の無印加時に、（Ａ）中心軸より前記偏光軸Ａ側に傾けて前記液晶分子を安定させる場合に、前記駆動電圧を印加して安定化軸より前記偏光軸Ａ側に前記液晶分子を傾ける処理、又は、（Ｂ）前記中心軸より前記基準軸側に傾けて、前記液晶分子を安定させる場合に、前記駆動電圧を印加して前記安定化軸より前記基準軸側に前記液晶分子を傾ける処理、のいずれか一方の処理を第２処理として実行し、前記第２処理によって前記液晶分子を傾けた後に前記駆動電圧を無印加に変更する第３処理、を実行し、前記中心軸が、前記偏光軸Ａと前記基準軸とによって形成される角度の２分の１となる角度に形成されており、前記安定化軸が、前記液晶分子が前記駆動電圧の無印加時に安定する軸である構成を有している。
【発明の効果】
【００１０】
本発明の一実施形態における画像視認用装着具の駆動方法等は、液晶分子の駆動中に駆動電圧を無印加に変更する場合には、中心軸から安定化軸に直接可動させずに、一旦、必ず安定化軸から偏光軸Ａ側又は基準軸側に傾けて、その後に安定化軸に可動させることができるので、駆動中の液晶分子を無印加状態にする際に駆動電圧が無印加となってから液晶分子が安定化状態となるまでの当該液晶分子の可動範囲を狭くし、迅速に液晶分子を安定化状態にさせることができる。
【００１１】
したがって、本発明の一実施形態における画像視認用装着具の駆動方法等は、安定的に液晶分子、すなわち、各シャッターを駆動し、かつ、装着したユーザに不快感を与えることのない画像視認用装着具を提供することができる。
【図面の簡単な説明】
【００１２】
【図１】本発明に係る立体視画像表示システムの一実施形態における回路構成を示すブロック図である。
【図２】一実施形態における表示パネルと走査線駆動回路及びデータ線駆動回路との構成を示すブロック図である。
【図３】一実施形態の表示パネルの分割斜視図であって、立体視用眼鏡との偏光軸の関係を説明するための図である。
【図４】一実施形態の液晶セルの構造を模した構造図である。
【図５】一実施形態の立体視用眼鏡における液晶分子におけるチルト角と透過率の関係を示すグラフの一例である。
【図６】一実施形態において、液晶分子の挙動と第１偏光板及び第２偏光板との関係の一例をそれぞれ示す図（その１）である。
【図７】一実施形態において、液晶分子の挙動と第１偏光板及び第２偏光板との関係の一例をそれぞれ示す図（その２）である。
【図８】強誘電性液晶の液晶分子における正負の駆動電圧と透過率の関係を示すグラフであり、強誘電性液晶の液晶分子の挙動を示す模式図である。
【図９】一実施形態の液晶分子における傾斜角度と透過率の関係を示すグラフの一例である。
【図１０】一実施形態において、液晶分子の挙動と第１偏光板及び第２偏光板との関係を示すその他の例である。
【図１１】正負の駆動電圧において非対称となるＶ字型スイッチング特性を有する液晶分子において、駆動電圧を無印加に変化させた場合の実験結果を示すグラフである。
【図１２】一実施形態における液晶表示装置及び立体視眼鏡において、左眼用シャッター及び右眼用シャッターの液晶素子に印加される駆動電圧が無印加となった際の２フレーム（６０分の１秒）分の各部のタイミングを示すタイミングチャートである。
【発明を実施するための形態】
【００１３】
以下、本発明の実施形態について、図面を参照しながら説明する。なお、以下の実施形態は、強誘電性液晶材料を用いた液晶シャッターによって構成されるアクティブシャッター方式の立体視用眼鏡に対して、本発明に係る画像視認用装着具及びその駆動方法を適用した場合の実施形態である。ただし、本発明は、その技術的思想を含む範囲内で以下の実施形態に限定されない。
【００１４】
［１］立体視画像表示システム
まず、図１及び図２を用いて、本実施形態の液晶シャッター２０及び立体視用眼鏡が適用される立体視画像表示システムＳの一例について説明する。なお、図１は、この立体視画像表示システムＳを示すブロック図であり、図２は、図１に示す立体視画像表示システムが備える表示パネル１１０、走査線駆動回路１３０及びデータ線駆動回路１２０の構成を示すブロック図である。
【００１５】
この立体視画像表示システムＳは、図１に示すように、視認者（ユーザ）に立体感を知覚させる立体視画像を、アクティブシャッター方式で表示及び認識させるための表示システムである。また、立体視画像表示システムＳは、右眼用画像と左眼用画像とを所定のタイミングにおいて時分割で交互に表示する液晶表示装置１００と、液晶表示装置１００によって表示される立体視画像の視認時にユーザによって装着される立体視用眼鏡２００と、を具備する。
【００１６】
液晶表示装置１００は、図１及び図２に示すように、複数のピクセル１０を有し、所定の画像を表示する表示パネル１１０と、複数のデータ線Ｘを介して各ピクセル１０を制御するデータ線駆動回路１２０と、複数の走査線Ｙを介して各ピクセル１０を制御する走査線駆動回路１３０と、表示パネル１１０のバックライトとして機能する照明装置１４０と、表示パネル１１０に表示する画像データを一時的に記憶するメモリ回路１５０と、各部を制御する制御回路１７０と、を備えている。
【００１７】
なお、本実施形態の液晶表示装置１００における各部材の詳細及びその動作については後述する。また、本実施形態の液晶表示装置１００（すなわち、表示パネル１１０）は、液晶パネルを用いて説明するが、有機ＥＬディスプレイその他の平面ディスプレイであればよく、液晶パネルに限定されるものでない。ただし、後述するように、液晶表示装置１００（表示パネル１１０）に表示される画像は、偏光板を用いて偏光された光によって構成され、当該偏光された光が立体視用眼鏡２００に出射される必要がある。
【００１８】
立体視用眼鏡２００は、左眼用画像及び右眼用画像が表示される液晶表示装置１００と連動し、当該液晶表示装置１００に表示された画像に対するユーザの右眼及び左眼の視認性を制御する立体視用装着具である。
【００１９】
そして、立体視用眼鏡２００は、図１に示すように、強誘電性液晶材料の液晶分子ＬＣを有する液晶セルによって構成された左眼用シャッター２０Ｌ及び右眼用シャッター２０Ｒの各液晶シャッター２０と、液晶表示装置１００から送信された制御信号に基づいて、左眼用シャッター２０Ｌ及び右眼用シャッター２０Ｒを駆動する駆動電圧を印加する駆動回路２１０と、を備えている。
【００２０】
特に、左眼用シャッター２０Ｌは、ユーザの左眼の前方に配置され、ユーザによって左眼用画像が視認可能な透過状態と当該左眼用画像が視認不能な遮光状態とを切り換える機能を有している。
【００２１】
また、右眼用シャッター２０Ｒは、ユーザの右眼の前方に配置され、ユーザによって右眼用画像が視認可能な透過状態と当該右眼用画像が視認不能な遮光状態とを切り換える機能を有している。
【００２２】
なお、本実施形態の立体視用眼鏡２００における各部材の詳細及びその動作については後述する。
【００２３】
［２］液晶表示装置
［２．１］液晶表示装置の機能的構成
次に、上述の図２を用いて液晶表示装置１００の構成について説明する。
【００２４】
表示パネル１１０は、図２に示すように、列方向に沿って延伸するｍ列のデータ線Ｘ１〜Ｘｍ（ｍは整数）と、行方向に沿って延伸するｎ行の走査線Ｙ１〜Ｙｎ（ｎは整数）との交差部に対応する位置に、ｎ行ｍ列に配列された複数の（ｎ×ｍ個の）ピクセル１０を有している。
【００２５】
各ピクセル１０は、各ピクセル１０に供給された該当する走査線Ｙ及びデータ線Ｘからの信号に基づいて、図示しない液晶素子を制御するための構造を有している。
【００２６】
データ線駆動回路１２０は、制御回路１７０の制御の下、図２に示すように、複数のデータ線Ｘ１〜Ｘｍを有し、この各データ線Ｘ１〜Ｘｍを介し各ピクセル１０にデータをそれぞれ供給する。特に、データ線Ｘ１〜Ｘｍは、各ピクセル１０における図示しないスイッチング用のＴＦＴのソース電極に接続される。なお、データ線Ｘによって供給される信号は、階調表示を行うための多値のデータに相当する信号であって、例えば、複数通りの電圧値の信号を各ピクセル１０に供給するためのデータ線制御信号（以下、「ピクセルデータ」ともいう。）である。
【００２７】
走査線駆動回路１３０は、制御回路１７０の制御の下、図２に示すように、ｎ行の複数の走査線Ｙ１〜Ｙｎを有し、所定のタイミングでｎ行の走査線Ｙ１〜Ｙｎを順に一つずつ選択する垂直走査を行うように構成されている。特に、走査線Ｙ１〜Ｙｎは、各ピクセル１０のスイッチング用のＴＦＴのゲート電極に接続される。また、走査線駆動回路１３０は、ｍ×ｎ個のピクセル１０のうち選択された一つの走査線Ｙに接続された各ピクセル１０（一行分のピクセル１０）のスイッチング用のＴＦＴをオン状態に設定する。
【００２８】
照明装置１４０は、表示パネル１１０を背面から照射する照明ユニットであり、例えば、フィールドシーケンシャル方式の場合には、ＲＧＢのＬＥＤによって構成されている。特に、照明装置１４０は、制御回路１７０の制御の下、データ線駆動回路１２０及び走査線駆動回路１３０と連動し、ＲＧＢの各色の光をそれぞれ所定のタイミングにて順次点灯させ、点灯させた各色の光を背面から表示パネル１１０に照射する構成を有している。
【００２９】
なお、照明装置１４０は、カラーフィルタ方式の場合には、白色の複数のＬＥＤによって構成される。
【００３０】
メモリ回路１５０には、表示パネル１１０に表示するための画像データであって、外部から供給された画像データが記憶される。特に、メモリ回路１５０は、一以上のフレームを記憶するフレームメモリ機能を有している。
【００３１】
特に、本実施形態においては、極性反転駆動を実行する一方で、外部から供給された画像データはシーケンシャルのデータの絶対値として入力されるために、フレーム毎に入力された画像データを所定のマトリクスデータに書き換える必要がある。本実施形態においては、この書き換えを行うためにメモリ回路１５０を有している。
【００３２】
制御回路１７０は、表示パネル１１０など上述の各部を統括制御するようになっている。特に、制御回路１７０は、表示パネル１１０の表示状態を表すメモリ回路１５０に記憶した画像データを、各ピクセル１０における発光の階調を表すマトリクスデータに変換する。
【００３３】
なお、マトリクスデータには、１行分のピクセル１０を選択するために走査信号を出力する走査線Ｙ１〜Ｙｎを指定するための走査線制御信号と、行毎に選択されるピクセル１０群の液晶素子の輝度を設定するためのデータ線制御信号（すなわち、ピクセルデータ）と、を含む。そして、走査線Ｙ制御信号は、走査線駆動回路１３０に供給され、また、データ線制御信号はデータ線駆動回路１２０に供給される。
【００３４】
具体的には、制御回路１７０は、例えば、フレーム毎（６０分の１秒）に左眼用画像及び右眼用画像を時分割（すなわち、１２０分の１秒毎）に表示することができるように、各ピクセル１０を駆動するためのデータを生成する。
【００３５】
また、制御回路１７０は、無線によって駆動回路２１０を制御して、立体視用眼鏡２００の右眼用シャッター２０Ｒ及び左眼用シャッター２０Ｌの各々の状態（開状態（透過状態）及び閉状態（遮光状態））を表示パネル１１０の動作に同期して制御する。
【００３６】
［２．２］表示パネルの構造
次に、図３を用いて表示パネル１１０の構造について説明する。なお、図３は、本実施形態の表示パネル１１０の分割斜視図であって、立体視用眼鏡２００との偏光軸の関係を説明するための図である。
【００３７】
表示パネル１１０は、偏光軸が非平行（具体的には９０度異なる）の一対の偏光フィルタ（以下、「第１偏光フィルタ」及び「第２偏光フィルタ」という。）１０５、１０６と、一対の偏光フィルタ（１０５、１０６）に挟持される一対のガラス基板（以下、「第１ガラス基板」及び「第２ガラス基板」という。）１１１、１１２と、一対のガラス基板（１１１、１１２）間に挟持される一対の透明電極（以下、「第１透明電極」及び「第２透明電極」という。）１１３、１１４と、一対の透明電極（１１３，１１４）間に挟持される一対の配向層（以下、「第１配向層」及び「第２配向層」という。）１１５、１１６と、一対の配向層（１１５、１１６）間に挟持され、所定の液晶分子を封入した液晶層１１７と、第２透明電極１１４と第２配向膜１１６との間に形成されるカラーフィルタ１１８と、によって形成される。
【００３８】
特に、液晶層１１７は、第１配向層１１５及び第２配向層１１６の間において所定の角度（具体的には９０度）にねじられて配向されている液晶分子（群）を有している。そして、この液晶層１１７は、ねじられて配向されたピクセル（サブピクセル）１０毎の液晶分子の傾きを制御することによって、第１偏光フィルタ１０５を透過した、照明装置１４０によって照射された光の透過率を制御する。
【００３９】
また、第２偏光フィルタ１０６は、立体視用眼鏡２００の前面（液晶表示装置１００側）の偏光板の偏光軸（後述する第１偏光板３２の第１偏光軸５２）と同一の偏光方向となる偏光軸を有している。なお、図３において矢印方向は偏光軸の偏光方向を示す。
【００４０】
［３］立体視用眼鏡
［３．１］立体視用眼鏡の構成
次に、上述の図３及び図４を用いて本実施形態の立体視用眼鏡２００の構成について説明する。なお、図４は、本実施形態の各液晶シャッター２０を構成する液晶セルの構造を模した構造図である。
【００４１】
各液晶シャッター（すなわち、液晶セル）２０は、図４に示すように、
（１）第１基材３１上に形成された、第１偏光軸５２（表示パネル１１０の第２偏光フィルタ１０６の偏光軸と同一の偏光方向）を有する第１偏光板３２と、
（２）第２基材上に形成された、第１偏光軸５２と非平行の第２偏光軸５３を有する第２偏光板４２と、
（３）第１偏光板３２と第２偏光板４２との間に挟持され、第１偏光軸５２及び第２偏光軸５３との間に各偏光軸と非平行な方向（すなわち、ラビング方向）にラビング処理された一対の配向膜（３３、４３）と、
（４）配向膜（３３、４３）に挟持される層であって、駆動電圧の無印加時に、基準軸５５と第１偏光軸５２又は第２偏光軸５３との間に傾いて安定化し、自発分極を有する液晶分子ＬＣを封入する液晶層３５と、
を有している。
【００４２】
なお、基準軸５５は、液晶シャッター２０が透過状態になるときに液晶分子ＬＣが配向される軸であり、第１偏光軸５２又は第２偏光軸５３は、液晶シャッター２０が遮光状態のときに液晶分子ＬＣが配向される軸である。
【００４３】
また、第２偏光板４２は、第１偏光板３２に対して、第１偏光軸５２と第２偏光軸５３とが直交となるように（すなわち、クロスニコルとなるように）配置されている。そして、各配向膜３３、４３は、それぞれ、ＩＴＯ（Ｉｎｄｉｕｍ  Ｔｉｎ  Ｏｘｉｄｅ）等よりなる透明電極が設けられた基材上に、基材及び透明電極の各表面を覆うように設けられている。
【００４４】
各液晶シャッター２０は、駆動電圧の印加に基づいて、液晶分子ＬＣが第１偏光軸５２（又は第２偏光軸５３）に可動した場合には遮光状態となり、当該液晶分子ＬＣが第１偏光軸５２と第２偏光軸５３との間の基準軸５５に可動した場合には透過状態となる。
【００４５】
また、各液晶シャッター２０は、駆動電圧の無印加時に、第１偏光軸５２と基準軸５５とによって形成される角度の２分の１の位置より当該第１偏光軸５２又は当該基準軸５５のいずれかの方向に傾いている構成を有している。なお、本実施形態の液晶分子ＬＣの詳細は後述する。
【００４６】
特に、左眼用シャッター２０Ｌにおいては、駆動電圧に基づいて、液晶分子ＬＣが、左眼用画像が液晶表示装置１００に表示された場合には透過状態となる基準軸５５に可動し、右眼用画像が液晶表示装置１００に表示された場合には遮光状態となる第１偏光軸５２（又は第２偏光軸５３）に可動する。
【００４７】
また、右眼用シャッター２０Ｒにおいては、駆動電圧に基づいて、液晶分子ＬＣが、左眼用画像が液晶表示装置１００に表示された場合には遮光状態となる第１偏光軸５２（又は第２偏光軸５３）に可動し、右眼用画像が液晶表示装置１００に表示された場合には透過状態となる基準軸５５に可動する。
【００４８】
駆動回路２１０は、左眼用シャッター２０Ｌ及び右眼用シャッター２０Ｒの各液晶シャッター２０における透過状態及び遮光状態の状態を制御するための駆動電圧を液晶層３５（すなわち液晶分子ＬＣ）に印加する。特に、駆動回路２１０は、液晶表示装置１００と連動し、左眼用シャッター２０Ｌ及び右眼用シャッター２０Ｒのそれぞれの遮光状態及び透過状態が、左眼用シャッター２０Ｌ及び右眼用シャッター２０Ｒで互いに異なりつつ、交互に切り替わるように制御するための駆動電圧を、左眼用シャッター２０Ｌ及び右眼用シャッター２０Ｒに供給する。なお、本実施形態における駆動回路２１０の詳細については、後述する。
【００４９】
［３．２］液晶分子
次に、図５〜図１０の各図を用いて本実施形態の液晶分子ＬＣについて説明する。なお、図５は、強誘電性液晶材料の液晶分子ＬＣの挙動を示す模式図であり、図６及び図７は、本実施形態の液晶分子ＬＣの挙動と第１偏光板３２及び第２偏光板４２との関係の一例をそれぞれ示す図である。また、図８は、本実施形態の強誘電性液晶の液晶分子ＬＣにおける正負の駆動電圧（すなわち、ピクセルデータによって印加される電圧）と、透過率の関係を示すグラフであり、図９は、本実施形態の液晶分子ＬＣにおける傾斜角度と透過率の関係を示すグラフの一例である。さらに、図１０は、液晶分子ＬＣの挙動と第１偏光板３２及び第２偏光板４２との関係を示すその他の例である。
【００５０】
（液晶分子の可動範囲）
液晶層３５に封入された強誘電性液晶材料の液晶分子ＬＣは、図５に示すように、配向膜（３３、４３）と平行となる層法線ｚから傾いており、層法線ｚに垂直な底面を有する円錐（コーン）の稜線に沿って回転する特性を有している。なお、このような円錐（コーン）において、液晶分子ＬＣの層法線ｚに対する傾き角をチルト角（θ）という。
【００５１】
また、液晶分子ＬＣは、正負いずれの電圧を印加したときにも回転（可動）するＶ  ｓｈａｐｅｄ  ｓｗｉｔｃｈｉｎｇ（以下、「Ｖ字型スイッチング」という。）特性を有し、印加された駆動電圧の極性及びそのレベルに応じて、層法線ｚに対しチルト角±θだけ傾く二つの状態間にてコーン上を動作するようになっている。
【００５２】
特に、本実施形態の液晶分子ＬＣは、図６及び図７に例示するように、駆動電圧の印加時には、遮光状態となる位置に形成される第１偏光軸５２又は第２偏光軸５３と、第１偏光軸５２と第２偏光軸５３との間であって透過状態となる位置に設定される基準軸５５と、の間を可動する構成を有している。すなわち、液晶分子ＬＣは、コーン上の一方の状態（遮光状態）のときには第１偏光軸５２又は第２偏光軸５３と平行な第１位置に遷移し、他方の状態（透過状態）のときには基準軸５５と平行な第２位置に遷移する構成を有している。
【００５３】
そして、例えば、この場合の透過率は、図８に示すように、駆動電圧の大きさに依存して変化する。すなわち、液晶層３５にマイナスの駆動電圧が印加されると、液晶分子ＬＣは、第１偏光軸５２に沿う位置に可動される。これにより、液晶シャッター２０の透過率は、図８に示すように減少し、液晶シャッター２０は、遮光状態となる。その一方、液晶層３５にプラスの駆動電圧が印加されると、液晶分子ＬＣは、基準軸５５に沿う位置に可動される。これにより、液晶シャッター２０の透過率は、図８に示すように増大し、液晶シャッター２０は、透過状態となる。ただし、プラス極性とマイナス極性によって可動する向きが反対であってもよい。
【００５４】
また、上述のように、第１偏光軸５２と第２偏光軸５３が直交している場合であって、図９に示すように、液晶分子ＬＣの長軸方向と第１偏光軸５２（又は第２偏光軸５３）とのなす角度（以下、「傾斜角度」という。）Θが、すなわち、チルト角が第１偏光軸５２（又は第２偏光軸５３（すなわち、「０」度））の遮光状態（透過率「０」％）から第２偏光軸５３（又は第１偏光軸５２（すなわち、「９０」度））の遮光状態（透過率「０」％）まで変化する場合であって、当該傾斜角度Θが「４５」度となるときに、透過率は１００％となる。
【００５５】
このため、本実施形態においては、透過率が一定以上（例えば、９０％以上）の場合に透過状態となる位置が液晶分子ＬＣの長軸方向となるように、基準軸５５が設定されるようになっており、液晶分子ＬＣは、第１偏光軸５２又は第２偏光軸５３と、基準軸５５と、の間を可動制御されるように構成される。
【００５６】
具体的には、実施形態の液晶分子ＬＣは、透過率９０％を示す３５．８度〜５４．２度の範囲内に規定される基準軸５５と、第１偏光軸５２（９０度）又は第２偏光軸５３（０度）との間を可動制御され、好ましくは、透過率１００％を示す４５度に規定された基準軸５５と第１偏光軸５２（９０度）又は第２偏光軸５３（０度）との間を可動制御される。なお、基準軸５５の角度Ｔについては、透過率９０％以上における角度θとして（式１）に基づいて算出することができるようになっている。
【００５７】
【数１】
2014235387.tif 000003
【００５８】
このように、本実施形態の液晶シャッター２０では、透過状態となる際の液晶分子ＬＣの傾きの位置（基準軸５５）が、第１偏光軸５２と第２偏光軸５３との間にあること、すなわち、図９において、光透過率が比較的高くなるチルト角の範囲にあることにより、液晶シャッター２０は、透過状態において高い透過率を得ることができる構造を有している。
【００５９】
また、本実施形態においては、ラビング方向、すなわち、液晶分子ＬＣが可動する際の中心の軸（以下、「中央軸」ともいう。）５１は、第１偏光軸５２又は第２偏光軸５３と、基準軸５５と、のなす角度の２分の１の位置に形成されることが好ましく、基準軸５５が上述のように３５．８度〜５４．２度の範囲内に規定される場合には、例えば、第１偏光軸５２又は第２偏光軸５３からこれらの２分の１の角度になる１７．９度〜２７．１度の範囲内に形成されることが好ましい。
【００６０】
なお、例えば、図６及び７に示すように、第１偏光軸５２及び第２偏光軸５３がクロスニコルであり、透過率が１００％となる基準軸５５の第１偏光軸５２及び第２偏光軸５３の角度が４５度の場合には、ラビング方向（中央軸５１）は、２２．５度に形成される。
【００６１】
また、透過状態及び遮光状態との状態を制御するために、液晶分子ＬＣは、第１偏光軸５２（又は第２偏光軸５３）と、基準軸５５と、の間を可動制御されるように構成されるが、当該液晶分子ＬＣに印加される駆動電圧とラビング方向とによっては、第１偏光軸５２（又は第２偏光軸５３）を超えて当該第１偏光軸５２から基準軸５５に向かって傾く方向とは反対の方向に可動してもよいし、基準軸５５を超えて当該基準軸５５から第１偏光軸５２に向かって傾く方向とは反対の方向に可動してもよい。すなわち、液晶分子ＬＣは、原則、第１偏光軸５２（又は第２偏光軸５３）と、基準軸５５と、の間を可動するが、その範囲を超えて可動するように制御されてもよい。
【００６２】
（ラビング方向と液晶分子の安定化状態との関係）
本実施形態においては、液晶分子ＬＣは、当該液晶分子ＬＣの可動範囲における中間の位置、すなわち、第１偏光軸５２又は第２偏光軸５３と基準軸５５との間にラビング方向から所定の角度の傾斜した位置で安定化状態となる特性を有している。
【００６３】
特に、本実施形態の液晶分子ＬＣにおいては、図６及び図７に例示すように、第１偏光軸５２又は第２偏光軸５３と、基準軸５５と、の間に形成された（すなわち、上記の可動範囲内に形成された）ラビング方向（中央軸５１の延伸方向）に基づいて、駆動電圧の無印加時の位置の安定化状態の位置（すなわち、安定化状態において液晶分子ＬＣの長軸方向の位置（以下、この位置の軸５４を「安定化軸」という。））が定まるようになっている。そして、液晶分子ＬＣは、その性質上、ラビング方向から第１偏光軸５２側又は基準軸５５側のいずれかの方向に傾いて安定化する。
【００６４】
（液晶分子の可動範囲と安定化軸の実施例１）
例えば、図６に示すように、液晶分子ＬＣが第１偏光軸５２と基準軸５５との間を可動する場合であって、当該液晶分子ＬＣに一方の極性（例えば、マイナスの極性）の駆動電圧が印加された場合には、当該液晶分子ＬＣは、第１偏光軸５２と平行な第１位置に向かって可動し、逆極性（例えば、プラスの極性）の駆動電圧が印加された場合には、基準軸５５に向かって第２位置に可動する。
【００６５】
また、この場合において、液晶分子ＬＣは、駆動電圧の無印加時には、第１偏光軸５２と基準軸５５との間であってラビング方向より第１偏光軸５２側に傾いて安定化する。そして、液晶分子ＬＣは、当該傾いた位置と第１偏光軸５２とによって形成される第１角度（チルト角）αが、当該傾いた位置と基準軸５５とによって形成される第２角度（チルト角）βより小さくなる位置で安定化状態となる特性を有している。
【００６６】
なお、例えば、本実施例の第１偏光板３２は、本発明の偏光板Ａを構成し、第１偏光軸５２は、本発明の偏光軸Ａを構成する。また、例えば、本実施形態の第２偏光板４２は、本発明の偏光板Ｂに対応し、第２偏光軸５３は、本発明の偏光軸Ｂに対応する。
【００６７】
また、この場合の代表例として、ラビング方向に沿う軸（中央軸５１）とのなす角（以下、「ラビング角度」という。）が９度（以下、「−９度」と記す。）の安定化軸５４を有する液晶分子ＬＣの液晶シャッター２０について、当該ラビング角度を変化させた場合における透過状態での輝度（以下、「白輝度」ともいう。）、遮光状態での輝度（以下、「黒輝度」ともいう。）及びコントラストを調べた結果を表１に示す。
【００６８】
【表１】
2014235387.tif 000004
【００６９】
なお、液晶分子ＬＣの可動範囲は４５度とし、基準軸５５は、第１偏光軸５２と第２偏光軸５３との間であってその中心（すなわち、第１偏光軸５２に対して４５度）に形成されているものとする。
【００７０】
この結果においては、黒輝度は、ラビング角度が２０度のとき、４．０ｃｄ／ｍ２、２２．５度のときに０．２ｃｄ／ｍ２及び２５度のとき４．０ｃｄ／ｍ２であり、それぞれに対応する白輝度は、９９０ｃｄ／ｍ２、１０００ｃｄ／ｍ２及び９９０ｃｄ／ｍ２あるので、これらの場合に、黒と白とを認識することができるコントラスト「１００」以上となり、十分なコントラストを得ることができている。
【００７１】
なお、この場合においては、ラビング角度が、２０度、２２．５度及び２５度における第１偏光軸５２と安定化軸５４のなす角における第１角度αは、式（ラビング角度−液晶分子ＬＣの傾き（９度））の演算より、１１度、１３．５度及び１６度となり、基準軸５５と安定化軸５４とのなす角における第２角度βは、式（基準軸５５の角度−第１角度α）の演算より、３４度、３１．５度及び２９度となる。
【００７２】
（液晶分子の可動範囲と安定化軸の実施例２）
例えば、図７に示すように、液晶分子ＬＣが第２偏光軸５３と基準軸５５との間を可動する場合であって、当該液晶分子ＬＣに一方の極性の駆動電圧が印加された場合には、第２偏光軸５３と平行な第１位置に向かって可動し、逆極性の駆動電圧が印加された場合には、基準軸５５と平行な第２位置に可動する。また、この場合において、液晶分子ＬＣは、駆動電圧の無印加時には、第１偏光軸５２と基準軸５５との間であってラビング方向より基準軸５５側に傾いて安定化する。
【００７３】
すなわち、液晶分子ＬＣは、当該傾いた位置である安定化軸５４と第２偏光軸５３とによって形成される第１角度（チルト角）αが、当該安定化軸５４と基準軸５５とによって形成される第２角度（チルト角）βより小さくなる位置で安定化状態となる特性を有している。
【００７４】
なお、例えば、本実施例の第１偏光板３２は、本発明の偏光板Ｂを構成し、第１偏光軸５２は、本発明の偏光軸Ｂを構成する。また、例えば、本実施形態の第２偏光板４２は、本発明の偏光板Ａを構成し、第２偏光軸５３は、本発明の偏光軸Ａを構成する。
【００７５】
また、この場合の代表例として、ラビング方向より第１偏光軸５２側に傾いた安定化軸５４であって、ラビング方向に沿う軸（中央軸５１）とのなす角（ラビング角度）が９度（以下、「＋９度」と記す。）の安定化軸５４を有する液晶分子ＬＣの液晶シャッター２０について、当該ラビング角度を変化させた場合における白輝度、黒輝度及びコントラストを調べた結果を表２に示す。
【００７６】
【表２】
2014235387.tif 000005
【００７７】
なお、実施例１と同様に、液晶分子ＬＣの可動範囲は４５度とし、基準軸５５は、第１偏光軸５２と第２偏光軸５３との間であってその中心（すなわち、第１偏光軸５２に対して４５度）に形成されているものとする。
【００７８】
この結果においては、黒輝度は、ラビング角度が２０度のとき、８．０ｃｄ／ｍ２、２２．５度のときに２．０ｃｄ／ｍ２及び２５度のとき８．０ｃｄ／ｍ２であり、それぞれに対応する白輝度は、９９０ｃｄ／ｍ２、１０００ｃｄ／ｍ２及び９９０ｃｄ／ｍ２であるので、これらの場合に、黒と白とを認識することができるコントラスト「１００」以上となり、実施例１よりはやや値が低いものの、十分なコントラストを得ることができている。
【００７９】
なお、この場合において、ラビング角度が、２０度、２２．５度及び２５度における第２偏光軸５３５２と安定化軸５４のなす角における第１角度αは、式（ラビング角度＋液晶分子ＬＣの傾き（９度））の演算より、２９度、３１．５度及び３４度となり、基準軸５５と安定化軸５４とのなす角における第２角度βは、（基準軸５５の角度−第１角度α）の演算より、１６度、１３．５度及び１１度となる。
【００８０】
（液晶分子の可動範囲と安定化軸のその他の例）
例えば、図１０に示すように、上記実施例２における安定化軸５４が第２偏光軸５３側に傾いていてもよい。すなわち、実施例２と異なり、液晶分子ＬＣは、安定化軸５４と第２偏光軸５３とによって形成される第１角度αが、安定化軸５４と基準軸５５とによって形成される第２角度βよりも小さくなっていてもよい。
【００８１】
この場合においては、実施例２と同様に、液晶分子ＬＣが、駆動電圧に基づいて、第２偏光軸５３と平行な第１位置に可動した場合には遮光状態となり、第２偏光軸５３と第１偏光軸５２との間の基準軸５５と平行な第２位置に可動した場合には透過状態となるように構成される。
【００８２】
また、この左眼用シャッター２０Ｌ及び右眼用シャッター２０Ｒでは、第２偏光板４２側から見た平面視において、液晶分子ＬＣの長軸方向と第２偏光軸５３のなす角度が「傾斜角度Θ」に相当する。
【００８３】
なお、この場合においては、第１偏光板３２及び第１偏光軸５２は、それぞれ、本発明の偏光板Ｂ及び偏光軸Ｂを構成し、第２偏光板４２及び第２偏光軸５３は、それぞれ、本発明の「偏光板Ａ」及び「偏光軸Ａ」を構成する。
【００８４】
（ラビング角度のその他の例）
上記の実施例においては、遮光状態となる場合の偏光軸が異なる場合であって、安定化軸５４がラビング方向（中央軸５１に沿う方向）に対して＋９度又は−９度傾いている場合について説明したが、これは、液晶分子ＬＣの種類及び配向膜の種類によって変化する。例えば、安定化軸５４がラビング方向（中央軸５１に沿う方向）に対して−１０度、−７度又は＋１０度に傾く液晶分子ＬＣの種類及び配向膜の種類の組み合わせも存在する。
【００８５】
（ラビング方向と液晶分子の安定化状態（安定化軸）との関係）
本実施形態の液晶分子ＬＣは、上述の実施例のように、駆動電圧の無印加時に、第１偏光軸５２と基準軸５５との間であって、第１偏光軸５２とによって形成される第１角度α（すなわち、チルト角）が基準軸５５とによって形成される第２角度βより小さくなる位置で安定化することが好ましい。すなわち、液晶分子ＬＣは、中央軸５１と、第１偏光軸５２との間に傾いて安定化することが好ましい。
【００８６】
一般的に、偏光軸に対して正負の駆動電圧において非対称となるＶ字型スイッチング特性を有する液晶分子ＬＣの角度（チルト角度）を制御することによって、照射光を遮断する遮光状態、すなわち、液晶表示装置１００に表示された画像を視認不能とする状態に制御する場合には、チルト角が小さくなるように偏光軸に可動することによって遮光状態にすると、チルト角が大きくなるように可動する場合に比べて、液晶の配向性が向上する。
【００８７】
具体的には、図６の例では第１偏光軸５２に、液晶分子ＬＣをそのチルト角が小さくなるように可動することによって遮光状態にすると、図７の例に示すように、安定化軸５４を中央軸５１（ラビング方向を規定する軸）から基準軸５５側に設定して偏光軸に可動する場合に比べて、液晶の配向性が向上する。
【００８８】
すなわち、液晶分子ＬＣに印加される駆動電圧としては、極性が正負の同値（例えば±５Ｖ）が印加されるので、チルト角が小さくなるように偏光軸に可動する場合とチルト角が大きくなるように偏光軸に可動する場合とにおいては、印加される駆動電圧の絶対値で比較すると、チルト角が小さくなるように偏光軸に可動した場合の液晶分子ＬＣにおける配向性は良好となる。
【００８９】
したがって、このような液晶の配向性の影響から、チルト角が大きくなるように偏光軸に可動することによって照射光を遮光にするよりも、チルト角が小さくなるように偏光軸に可動することによって照射光を遮光することができるように、ラビング方向を設定して液晶分子ＬＣを安定化させれば、その遮光率は高くなる。
【００９０】
そこで、本実施形態においては、上述のように、チルト角が小さくなるように第１偏光軸５２又は基準軸５５に自発分極を有する強誘電性の液晶分子ＬＣを可動させて、遮光状態となるように当該液晶分子ＬＣを安定化させることによって、透過状態及び遮光状態を切り換える高速なシャッター駆動を実現しつつ、遮光状態にするため液晶分子ＬＣを可動する際に、十分に液晶シャッター２０の透過率を低くすることができるようになる。
【００９１】
この結果、本実施形態においては、透過状態及び遮光状態を高速に切り換えることができるとともに、液晶表示装置１００に表示された左眼用画像又は右眼用画像の該当する液晶シャッター２０における遮光性能を向上させることができるので、ユーザにおける立体視の視認性を向上させることができるようになる。
【００９２】
なお、例えば、上述のようにラビング角度が２０度から２５度の範囲で規定され、かつ、安定化軸５４がラビング角度から最大−１０度の範囲で設定されている場合には、第１角度αは、１５度以下であることが好ましい。
【００９３】
［３．５］駆動回路
次に、図１１を用いて本実施形態における駆動回路２１０の詳細について説明する。なお、図１１は、正負の駆動電圧において非対称となるＶ字型スイッチング特性を有する液晶分子ＬＣにおいて、駆動電圧を無印加に変化させた場合の実験結果を示すグラフである。
【００９４】
駆動回路２１０は、液晶表示装置１００の電源投入と連動するなど、所定の動作に連動して電源のオンが指示されるとともに、当該液晶表示装置１００の表示開始に従って各液晶シャッター２０の駆動制御を開始し、当該液晶表示装置１００の表示終了に従って各液晶シャッター２０の駆動制御を終了させて電源のオフが指示される。
【００９５】
また、駆動回路２１０は、液晶表示装置１００の表示中、当該液晶表示装置１００から送信された制御信号に基づいて、左眼用シャッター２０Ｌ及び右眼用シャッター２０Ｒにおける透過状態及び遮光状態を制御し、液晶表示装置１００に表示された左眼用画像又は右眼用画像に対し、立体視用眼鏡２００を装着したユーザにおける視認を制御する。
【００９６】
なお、電源のオンとオフの指示は、液晶表示装置１００と連動せずに、図示しない立体視用眼鏡２００の筐体に設けられたスイッチによって実行されてもよい。
【００９７】
（液晶表示装置の表示中の駆動制御）
駆動回路２１０は、立体視用眼鏡２００の駆動中においては、左眼用シャッター２０Ｌ及び右眼用シャッター２０Ｒに対する透過状態と遮光状態との状態を制御するために、液晶表示装置１００から送信された制御信号に基づいて、左眼用シャッター２０Ｌ及び右眼用シャッター２０Ｒのそれぞれに設けられた液晶分子ＬＣに対して駆動電圧を印加し、図６及び図７に例示するように、第１偏光軸５２又は第２偏光軸５３と、第１偏光軸５２と第２偏光軸５３との間に設定される基準軸５５と、の間を可動させる。
【００９８】
特に、駆動回路２１０は、立体視用眼鏡２００の駆動中、左眼用画像が液晶表示装置１００に表示された場合に、右眼用シャッター２０Ｒの液晶分子ＬＣに、当該表示された左眼用画像が視認不能な遮光状態となる第１偏光軸５２に向けて可動するための駆動電圧を、印加するとともに、左眼用シャッター２０Ｌの液晶分子ＬＣに、当該左眼用画像が視認可能な透過状態となる基準軸５５に向けて可動するための駆動電圧を、印加する。
【００９９】
すなわち、駆動回路２１０は、この場合には、右眼用シャッター２０Ｒの液晶分子ＬＣに、第１偏光軸５２に平行な第１位置に可動させるための駆動電圧を印加するとともに、左眼用シャッター２０Ｌの液晶分子ＬＣに、基準軸５５に平行な第２位置に可動させるための駆動電圧を印加する。
【０１００】
例えば、駆動回路２１０は、各フレームにおいて、左眼用画像を表示するための部分フレーム（以下、「左眼用画像フレーム」という。）におけるマトリクスデータの書込期間経過後に、左眼用シャッター２０Ｌを遮光状態から透過状態に変化させるための駆動電圧を左眼用シャッター２０Ｌに印加し、所定の期間その状態を保持させる。このとき、駆動回路２１０は、右眼用シャッター２０Ｒに対して遮光状態を維持させる。
【０１０１】
また、駆動回路２１０は、右眼用画像が液晶表示装置１００に表示された場合に、右眼用シャッター２０Ｒの液晶分子ＬＣに、当該表示された右眼用画像が視認可能な透過状態となる基準軸５５に向けて可動するための駆動電圧を、印加するとともに、左眼用シャッター２０Ｌの液晶分子ＬＣに、当該右眼用画像が視認不能な遮光状態となる第１偏光軸５２に向けて可動するための駆動電圧を、印加する。
【０１０２】
すなわち、駆動回路２１０は、この場合には、左眼用シャッター２０Ｌの液晶分子ＬＣに、第１位置に可動させるための駆動電圧を印加し、右眼用シャッター２０Ｒの液晶分子ＬＣに、第２位置に可動させるための駆動電圧を印加する。
【０１０３】
例えば、駆動回路２１０は、制御回路１７０の指示の下、各フレームにおいて、右眼用画像を表示するための部分フレーム（以下、「右眼用画像フレーム」という。）におけるマトリクスデータの書込期間経過後に、右眼用シャッター２０Ｒを遮光状態から透過状態に変化させるための駆動電圧を右眼用シャッター２０Ｒに印加し、所定の期間その状態を保持させる。このとき、駆動回路２１０は、左眼用シャッター２０Ｌに対して遮光状態を維持させるための駆動電圧を印加する。
【０１０４】
なお、液晶分子ＬＣの位置が第１位置の場合に透過率が最小になり、液晶分子ＬＣの位置が第２位置の場合に透過率が最大になるとともに、液晶分子ＬＣを第２位置に可動させるための駆動電圧が、当該液晶分子ＬＣを前記第１位置に可動させるための駆動電圧の逆極性の電圧となる。
【０１０５】
（電源オフ時の駆動制御）
駆動回路２１０は、液晶分子ＬＣの駆動中にチルト角の小さい側から液晶分子ＬＣに印加すべき駆動電圧を無印加に変化させることによって電源をオフするようになっている。
【０１０６】
通常、正負の駆動電圧において非対称となるＶ字型スイッチング特性を有する液晶分子ＬＣに対して電圧を印加せずに安定化状態にする場合において、チルト角が小さい側から液晶分子ＬＣを安定化状態に移行するように当該液晶分子ＬＣに印加すべき駆動電圧を無印加に変化させる場合に比べて、チルト角が大きい側から液晶分子ＬＣを安定化状態に移行するように液晶分子ＬＣに印加すべき駆動電圧を無印加に変化させる場合には、液晶分子ＬＣが迅速に安定化状態に移行しない。
【０１０７】
すなわち、第１偏光軸５２を基準に、液晶分子ＬＣが中央軸５１から第１偏光軸５２側に傾斜している状態から当該液晶分子ＬＣに印加すべき駆動電圧を無印加に変化させる場合に比べて、液晶分子ＬＣが中央軸５１から基準軸５５側に傾斜している状態から当該液晶分子ＬＣに印加すべき駆動電圧を無印加に変化させる場合には、液晶分子ＬＣが迅速に安定化軸に平行または略平行とならない。
【０１０８】
例えば、図１１（Ａ）及び（Ｂ）に示す実験結果において、同一レベルのプラス電圧とマイナス電圧が交互に出現する極性反転駆動するための矩形波によって形成された５Ｖの駆動電圧（入力電圧）を用いて本実施形態の液晶分子ＬＣを駆動した場合を想定する。
【０１０９】
この場合において、本実施形態の液晶分子ＬＣを駆動した後に、無印加状態（すなわち、駆動電圧を「０Ｖ」）とした場合に、駆動電圧の極性がマイナスとなっているチルト角が小さい側から変化させた場合に比べ、駆動電圧の極性がプラスとなっているチルト角が大きい側から変化させると、図１１（Ａ）及び（Ｂ）に示すように、透過率がある程度低くなるまで（すなわち、透過率が２５％程度になるまで）に相当の時間が必要となる。
【０１１０】
特に、駆動電圧の極性がプラスとなっているチルト角が大きい側から変化させた場合には、チルト角が小さい側から変化させた場合に比べて透過率が同じレベルまでに下がるまでに５倍程度の差があり、液晶分子ＬＣが迅速に安定化状態になっていない。
【０１１１】
したがって、チルト角が大きい側から液晶分子ＬＣに印加すべき駆動電圧を無印加に変化させる場合には、液晶分子ＬＣの可動動作が不安定になり、遮光状態及び透過状態が不安定になるので、その結果、立体視用眼鏡２００を装着したユーザに不快感を与えてしまう。
【０１１２】
そこで、本実施形態の駆動回路２１０は、チルト角の小さい側から液晶分子ＬＣに印加すべき駆動電圧を無印加に変化させ、駆動中の液晶分子ＬＣを無印加状態にする際に安定化状態となるまでの可動範囲を狭くし、迅速に当該液晶分子ＬＣを安定化状態にするようになっており、液晶分子ＬＣを安定的に可動させ、その結果、装着したユーザに不快感を与えることのない画像視認用装着具を提供することができるようになっている。
【０１１３】
具体的には、駆動回路２１０は、左眼用シャッター２０Ｌ及び右眼用シャッター２０Ｒの透過状態と遮光状態との状態を制御するために、基準軸５５と、第１偏光軸５２又は第２偏光軸５３と、の間で前記液晶分子を可動させる第１工程（第１処理）の実行中に、駆動電圧を無印加にする場合には、以下の工程（処理）を実行する。
【０１１４】
駆動回路２１０は、例えば、図６、図７及び図１０に示すように、駆動電圧の無印加時に、
（Ａ）中心軸５１より第１偏光軸５２側又は第２偏光軸５３側に傾けて液晶分子ＬＣを安定させる場合には、駆動電圧を印加して安定化軸５４より第１偏光軸５２側又は第２偏光軸５３側に液晶分子ＬＣを傾ける工程（処理）、又は、
（Ｂ）中心軸５１より基準軸５５側に傾けて、液晶分子ＬＣを安定させる場合に、駆動電圧を印加して安定化軸５４より基準軸５５側に液晶分子ＬＣを傾ける工程（処理）、
のいずれか一方の第２工程（処理）を実行し、第２工程（第２処理）によって液晶分子ＬＣを傾けた後に駆動電圧を無印加に変更する第３工程（第３処理）を実行する。  
【０１１５】
また、本実施形態においては、左眼用シャッター２０Ｌ及び右眼用シャッター２０Ｒにおける透過状態及び遮光状態を制御が２分の１フレームずれて交互に実行されるため、それぞれの液晶シャッター２０の液晶分子ＬＣにおける安定化状態に移行するタイミングも２分の１フレームずれるようになっている。
【０１１６】
なお、上述では、電源のオフ時の動作を用いて液晶分子ＬＣの駆動中に駆動電圧を無印加に変更する場合を説明したが、電源のオフ以外の場合であっても、液晶分子ＬＣの駆動中に駆動電圧を無印加に変更する場合であれば、チルト角の小さい側から液晶分子ＬＣに印加すべき駆動電圧を無印加に変化させ、迅速に液晶分子ＬＣを安定化状態にすることができるようになっている。
【０１１７】
［３．５］立体視用眼鏡の動作
次に、図１２を用いて本実施形態の立体視用眼鏡２００の動作について説明する。なお、図１２は、本実施形態における液晶表示装置１００及び立体視眼鏡２００において、左眼用シャッター２０Ｌ及び右眼用シャッター２０Ｒの液晶分子ＬＣに印加される駆動電圧が無印加となった際の２フレーム（６０分の１秒）分の各部のタイミングを示すタイミングチャートである。
【０１１８】
本動作においては、液晶表示装置１００の制御回路によって入力された画像データに基づいてマトリクスデータが生成されているとともに、同期信号によって走査線制御信号及びピクセルデータが所定のタイミングによって表示パネル１１０に供給されているものとし、そのタイミングに連動して駆動回路２１０が駆動電圧を左眼用シャッター２０Ｌ及び右眼用シャッター２０Ｒに印加しているものとする。
【０１１９】
また、駆動電源のオフについては、任意の指示に基づいて実行され、液晶表示装置１１００に表示される左眼用画像及び右眼用画像と連動しないものとする。
【０１２０】
まず、左眼用画像が左眼用部分フレームの書き込み期間（以下、「第１書き込み期間」という。）において、表示パネル１１０の左上のピクセル１０から順に、ピクセルデータを着込む書き込み処理を実行し、書き込み期間終了後に、所定の期間（以下、「第１点灯期間」という。）において照明装置１４０のバックライトが点灯される。
【０１２１】
また、駆動回路２１０は、第１書き込み期間の開始時に、左眼用シャッター２０Ｌに（具体的には、左眼用シャッター２０Ｌの液晶分子ＬＣに）当該左眼用シャッター２０Ｌを遮光状態から透過状態に遷移するための駆動電圧の印加を開始し、第１点灯期間の終了までその状態を維持させる。また、駆動回路２１０は、第１書き込み期間の開始時に右眼用シャッター２０Ｒを透過状態から遮光状態に遷移させるための駆動電圧の印加を開始し、第１点灯期間の終了までその状態を維持させる。
【０１２２】
このとき、ユーザの左眼には透過光が到達するとともに、右眼には如何なる光も遮光されるので、ユーザは、液晶表示装置１００に表示された左眼用画像を左眼で視認しつつ、右眼では視認不能となる。
【０１２３】
次いで、右眼用画像が右眼用部分フレームの書き込み期間（以下、「第２書き込み期間」という。）において、表示パネル１１０の左上のピクセル１０から順に、ピクセルデータを書き込む書き込み処理を実行し、書き込み期間終了後に、所定の期間（以下、「第２点灯期間」という。）において照明装置１４０のバックライトが点灯される。
【０１２４】
また、駆動回路２１０は、第２書き込み期間の開始時に、右眼用シャッター２０Ｒに（具体的には、右眼用シャッター２０Ｒの液晶分子ＬＣに）当該右眼用シャッター２０Ｒを遮光状態から透過状態に遷移させるための駆動電圧の印加を開始し、第２点灯期間の終了までその状態を維持させる。また、駆動回路２１０は、第２書き込み期間の開始時に左眼用シャッター２０Ｌを透過状態から遮光状態に遷移するための駆動電圧の印加を開始し、第２点灯期間の終了までその状態を維持させる。
【０１２５】
このとき、ユーザの右眼には透過光が到達するとともに、左眼には如何なる光も遮光されるので、ユーザは、液晶表示装置１００に表示された右眼用画像を右眼で視認しつつ、左眼では視認不能となる。
【０１２６】
一方、第２点灯期間の終了時に電源のオフが指示された場合には、左眼用シャッター２０Ｌは、遮光状態であり、第１位置にあるので、すなわち、チルト角の小さい方に傾いているので、駆動回路２１０は、そのまま左眼用シャッターＬに印加する印可電圧を無印加状態に変更し、当該左眼用シャッター２０Ｌの液晶分子ＬＣを安定化状態に移行させる。
【０１２７】
他方、第２点灯期間の終了時に立体視用眼鏡２００の電源がオフになった場合には、右眼用シャッター２０Ｒは、透過状態であり、第２位置にあるので、すなわち、チルト角の大きい方に傾いているので、駆動回路２１０は、右眼用シャッター２０Ｒを透過状態から遮光状態に遷移させるための駆動電圧の印加を開始し、電源のオフが指示された時点から２分の１フレーム後に印可電圧を無印加状態に変更し、当該左眼用シャッター２０Ｌの液晶分子ＬＣを安定化状態に移行させる。
【０１２８】
以上、本実施形態の立体視用眼鏡２００は、液晶分子ＬＣの駆動中に駆動電圧を無印加に変更する場合には、当該液晶分子ＬＣが中央軸５１から安定化軸５４に移動させずに、必ず、チルト角が小さくなる第１偏光軸５２又は基準軸５５から安定化軸５４に可動させることができるので、駆動中の液晶分子ＬＣを無印加状態にする際に安定化状態となるまでの可動範囲を狭くし、迅速に液晶分子ＬＣを安定化状態にすることができる。
【０１２９】
したがって、本実施形態の立体視用眼鏡２００は、液晶分子ＬＣを安定的に可動させ、その結果、装着したユーザに不快感を与えることのない立体視用眼鏡２００を提供することができる。
【０１３０】
［４］変形例
［４．１］変形例１
上記実施形態の立体視用眼鏡２００においては、各液晶シャッター２０は、第１偏光板３２及び第２偏光板４２を有しているが、各液晶シャッター２０が第１偏光板３２を有しておらず、液晶表示装置１００の光出射側の偏光板（例えば、図３の第２偏光フィルタ１０６）を第１偏光板として利用してもよい。
【０１３１】
なお、この特徴点以外の構成は、上記実施形態の立体視用眼鏡と同様の構成となり、また、この変形例２の立体視用眼鏡又は立体視用シャッター２０においても、上記実施形態と同様の作用・効果を得ることができる。
【０１３２】
［４．２］変形例２
上記実施形態においては、第１偏光軸５２をｘ軸、第２偏光軸５３をｙ軸としたｘ−ｙ座標において、液晶分子ＬＣが第１象限内で可動する場合を例にして説明しているが、液晶分子ＬＣの可動域が、第２象限〜第４象限のいずれであっても構わない。いずれの場合でも、同様の作用・効果を得ることができる。
【０１３３】
なお、上記実施形態においては、アクティブシャッター方式の立体視用眼鏡２００に、強誘電性液晶材料の液晶分子ＬＣを用いた液晶シャッター２０（液晶セル）を適用したが、当該方式以外の立体視用眼鏡、又は、立体視用眼鏡に限らず、遮光状態と透過状態を切り換える液晶シャッター機能を用いる電子機器、それらに用いる器具若しくはそれらの部品に、上記の液晶シャッター２０を適用することができる。
【０１３４】
また、上記の実施形態においては、ユーザに立体視させるために、立体視用眼鏡２００のそれぞれのシャッターを交互に切り換えることによって、当該立体視用眼鏡２００を装着したユーザに立体視させるようになっているが、液晶表示装置１００にそもそも画像同士の関係性のない第１画像及び第２画像を時分割に交互に表示させるとともに、当該液晶表示装置１００と連動し、第１画像が表示されたときに左眼用シャッター２０Ｌ及び右眼用シャッター２０Ｒが透過状態に同時に切り替わるとともに、第２画像が表示されたときに左眼用シャッター２０Ｌ及び右眼用シャッター２０Ｒが遮光状態に同時に切り替わるように制御してもよい。
【０１３５】
この場合には、複数の立体視用眼鏡２００を用いる場合には、立体視用眼鏡２００毎に遮光状態と透過状態を変えることができるので、各画像を異なるユーザ（すなわち、立体視用眼鏡２００を装着するユーザ）に提供することができるようになる。なお、２以上の画像及びユーザによってそれぞれ異なる画像を提供するようにしてもよい。
【符号の説明】
【０１３６】
ＬＣ  …  液晶分子
１０  …  ピクセル
２０Ｌ  …  左眼用シャッター
２０Ｒ  …  右眼用シャッター
３１  …  第１基材
３２  …  第１偏光板（偏光板Ａ、偏光板Ｂ）
３３、４３  …  配向膜
３５  …  液晶層
４１  …  第２基材
４２  …  第２偏光板（偏光板Ａ、偏光板Ｂ）
５１  …  中央軸
５２  …  第１偏光軸（偏光軸Ａ、偏光軸Ｂ）
５３  …  第２偏光軸（偏光軸Ａ、偏光軸Ｂ）
５４  …  安定化軸
５５  …  基準軸
１００  …  液晶表示装置
１１０  …  表示パネル
１２０  …  データ線駆動回路
１３０  …  走査線駆動回路
１４０  …  照明装置
１５０  …  メモリ回路
１７０  …  制御回路
２００  …  立体視用眼鏡
２１０  …  駆動回路
【図１】
2014235387.tif 000006
【図２】
2014235387.tif 000007
【図３】
2014235387.tif 000008
【図４】
2014235387.tif 000009
【図５】
2014235387.tif 000010
【図６】
2014235387.tif 000011
【図７】
2014235387.tif 000012
【図８】
2014235387.tif 000013
【図９】
2014235387.tif 000014
【図１０】
2014235387.tif 000015
【図１２】
2014235387.tif 000016
【図１１】
2014235387.tif 000017